(57)【要約】【課題】短時間で且つあまり人手を要することなく、狭い現場でも適用可能な支柱昇降用担架を提供する。【解決手段】軸方向に互いに間隔Ｄ空けてそれぞれ径方向に張り出した上ポケット及び下ポケットを有する、仮設足場の支柱を複数本同時に保持する担架１であって、  上端でウィンチのワイヤーと連結可能な長寸の心棒２と、心棒２の上端に近い位置で径方向に張り出すとともに、前記支柱を心棒と平行な姿勢で１本ずつ受け入れ可能な凹部を周方向に間欠的に有する上鍔３と、前記各凹部に対応して凹部と心棒との間で上方に突き出し、前記上ポケットと係り合い可能なブラケット４と、上鍔３よりも概ね間隔Ｄだけ心棒２の下端に近い位置で径方向に張り出すとともに、前記支柱を心棒２と平行な姿勢で１本ずつ受け入れ可能な凹部を上鍔３の凹部と軸方向視同じ位置に有する下鍔５とを備える。【選択図】図１
2018084081.tif 000002
【特許請求の範囲】
【請求項１】
軸方向に互いに間隔Ｄ空けてそれぞれ径方向に張り出した上ポケット及び下ポケットを有する、仮設足場の支柱を複数本同時に保持するものであって、
上端でウィンチのワイヤーと連結可能な長寸の心棒と、
前記心棒の上端に近い位置で径方向に張り出すとともに、前記支柱を心棒と平行な姿勢で１本ずつ受け入れ可能な凹部を周方向に間欠的に有する上鍔と、
前記各凹部に対応して凹部と心棒との間で上方に突き出し、前記上ポケットと係り合い可能なブラケットと、
前記上鍔よりも概ね間隔Ｄだけ前記心棒の下端に近い位置で径方向に張り出すとともに、前記支柱を心棒と平行な姿勢で１本ずつ受け入れ可能な凹部を上鍔の凹部と軸方向視同じ位置に有する下鍔と
を備える支柱昇降用担架。
【請求項２】
更に、前記下鍔よりも概ね前記下ポケットの高さＨ又はその２倍分だけ前記心棒の上端に近い位置で径方向に張り出したストッパーを備え、下鍔の凹部と同じ位相における前記ストッパーの心棒中心からの張り出し寸法をｒ、心棒中心から同凹部の底までの寸法をＲ、同凹部への支柱受け入れ状態における下ポケットの径方向先端から心棒中心までの距離をｄとするとき、ｄ＜ｒ≦Ｒである、請求項１に記載の支柱昇降用担架。
【請求項３】
前記支柱が強磁性体からなり、前記下鍔が磁石からなるか又は下鍔もしくは前記心棒における下鍔付近に磁石が取り付けられている、請求項１に記載の支柱昇降用担架。
【請求項４】
更に、前記心棒の下端から垂れる金属製の鎖からなる錘を備える、請求項１に記載の支柱昇降用担架。
【請求項５】
更に、弾性伸縮可能なバンドを備え、同バンドの一端は前記心棒に固定され、他端は自由にされている、請求項１に記載の支柱昇降用担架。
【請求項６】
前記バンドの自由端に鉤が取り付けられている、請求項５に記載の支柱昇降用担架。
【発明の詳細な説明】
【技術分野】
【０００１】
この発明は、建築現場の仮設足場の支柱を高所と地上との間で複数本同時に上げ下げするための昇降用担架に関する。
【背景技術】
【０００２】
建築現場の仮設足場は、建築物の高さに応じて鉛直方向に継ぎ足して立てられた支柱と、建築物に向かって前後の支柱間に跨がるように固定された桟と、同じく左右の支柱間に跨がるように固定された手すりと、桟に掛け渡された踏板と、必要により筋交いとからなる。桟及び手すりの両端には、それらの長さ方向に対して直交する方向に突き出した楔が設けられており、支柱にはそれらの楔に対応してポケットが設けられている。従って、楔をハンマーで叩きながらポケットに差し込むだけで支柱、桟及び手すりを組み立てることができる。
【０００３】
支柱等の資材を高所と地上との間で上げ下げするには、各階に配置された作業者によって１本ずつ手渡しで送ることが行われる。また、このような手渡しに代えて、先に設置した支柱にレールを固定し、多数の資材を入れた箱形の荷台を前記レールに滑らせながら昇降させる資材搬送リフトも提案されている（特許文献１）。
【先行技術文献】
【特許文献】
【０００４】
【特許文献１】特開２０１４−１５２４６７号公報
【発明の概要】
【発明が解決しようとする課題】
【０００５】
しかし、作業者による手渡しでは支柱を送るのに多くの時間と人件費がかかる。また、特許文献１に記載の資材搬送リフトでもレールの固定に時間を要するうえ、荷台を昇降させる大きな空間を確保する必要もあるので、狭い建築現場では適用できない。
それ故、この発明の課題は、短時間で且つあまり人手を要することなく、狭い現場でも適用可能な支柱昇降用担架を提供することにある。
【課題を解決するための手段】
【０００６】
その課題を解決するために、この発明の支柱昇降用担架は、
仮設足場の支柱を複数本同時に保持するものであって、心棒と、上鍔と、ブラケットと、下鍔とを備える。対象となる支柱は、軸方向に所定のピッチで径方向に張り出した複数組のポケット群を有する。そして、ウィンチにてワイヤーを巻き上げながら、担架とともに支柱を上げる。
【０００７】
各ポケット群は通常、２個又は４個のポケットからなり、２個の場合は通常相反する方向に張り出しており、４個の場合は軸方向視で十字形に張り出している。また、４個の場合は左右のポケットと前後のポケットとで軸方向位置を１ポケット分シフトさせていることもある。この明細書では、複数組のポケット群のうち、支柱の上端に近いポケット群の一つのポケットを上ポケット、下端に近いポケット群の一つのポケットであって上ポケットと同方向に張り出しているものを下ポケットと称する。
【０００８】
心棒は、支柱と同程度に長く、上端にウィンチのワイヤーを巻き付けるか結びつけることのできるフックや孔などを有して、上端でウィンチのワイヤーと連結可能なものである。通常はワイヤーの先端にスイベルフックなどの鉤が取り付けられているので、心棒側の連結部もそれに対応した形状のものがよい。
【０００９】
上鍔は、前記心棒の上端に近い位置で径方向に張り出すとともに、前記支柱を心棒と平行な姿勢で１本ずつ受け入れ可能な凹部を周方向に間欠的に有する。一つの上鍔あたりの凹部の個数は、通常４から８であり、凹部の個数分だけ支柱を保持可能であるが、保持する支柱の総重量に応じた動力のウィンチを用いる必要がある。
ブラケットは、前記各凹部に対応して凹部と心棒との間で上方に突き出し、前記上ポケットと係り合い可能なものである。
下鍔は、前記上鍔よりも概ね間隔Ｄだけ前記心棒の下端に近い位置で径方向に張り出すとともに、前記支柱を心棒と平行な姿勢で１本ずつ受け入れ可能な凹部を上鍔の凹部と軸方向視同じ位置に有する。
【００１０】
この発明の支柱昇降用担架（以下、単に「担架」ともいう。）を使用するときは、先ずウィンチのワイヤーの先端を心棒の上端に連結し、担架をウィンチで吊り上げる。次に、上ポケットをブラケットに係らせながら、支柱を上鍔と下鍔の凹部に入れる。上ポケットが十字形に張り出したポケット群の一つのポケットであるときは、直交する方向に張り出したポケットを上鍔の凹部の周縁に載せる。その状態でワイヤーを巻き上げることにより、保持された支柱が担架とともに上げられる。各支柱の径方向の動きが上下の凹部に概ね拘束されているので、上昇中に支柱同士が衝突することはない。従って、上ポケットがブラケットから離脱することもない。
【００１１】
更に、この発明の担架は、好ましくは下鍔よりも概ね下ポケットの高さＨ又はその２倍分だけ心棒の上端に近い位置で径方向に張り出したストッパーを備える。そして、下鍔の凹部と同じ位相におけるストッパーの心棒中心からの張り出し寸法をｒ、心棒中心から同凹部の底までの寸法をＲ、同凹部への支柱受け入れ状態における下ポケットの径方向先端から心棒中心までの距離をｄとするとき、ｄ＜ｒ≦Ｒである。
【００１２】
この構成においてはｒ≦Ｒの関係にあるから、支柱を下鍔の凹部の底まで入れても支柱がストッパーから反力を受けて押し出されることはない。一方、ｄ＜ｒの関係にあるから、支柱を上鍔と下鍔の各凹部に受け入れた状態で支柱が上方に変位しようとする力が加わっても、ストッパーの下面が下ポケットの上面に当たり、支柱の上方への変位が阻止される。その結果、担架の昇降中に上ポケットがブラケットから浮いて外れることがない。
【００１３】
更に、この発明の担架は、好ましくは前記支柱が強磁性体からなり、前記下鍔が磁石からなるか又は下鍔もしくは前記心棒における下鍔付近に磁石が取り付けられている。これにより、磁力で支柱を心棒に引きつけることができ、心棒に対して支柱が安定する。
【００１４】
更に、この発明の担架は、好ましくは前記心棒の下端から垂れる金属製の鎖からなる錘を備える。担架の昇降中でも鎖の下端が地面に着いている間は地面との摩擦で制動されるので、横揺れが抑制され心棒の直立姿勢が保たれる。
【００１５】
更に、この発明の担架には、好ましくは弾性伸縮可能なバンドが備えられ、同バンドの一端は前記心棒に固定され、他端は自由にされている。このバンドを担架に保持された複数本の支柱全体の外周に巻いて縛ることにより、昇降中に支柱が凹部から出ることを防ぐことができる。バンドの自由端に鉤が取り付けられていれば、縛らなくても鉤をいずれかの支柱に引っかけるだけで足りる。バンドの材質は通常、ゴムであってよいが、金属鎖とコイルスプリングとの組み合わせなどでもよい。
【発明の効果】
【００１６】
以上のように、この発明によれば、レールを設置しなくても既製のウィンチがあって、且つ、平面視で上下の鍔の面積に相当する作業空間があれば、少ない人数で複数本の支柱を同時に昇降させることができる。
【図面の簡単な説明】
【００１７】
【図１】実施形態の担架の正面図である。
【図２】同担架の鉛直方向要部断面図である。
【図３】図１におけるIII-III断面図である。
【図４】同担架で２本の支柱が保持されている状態の上鍔付近を斜め上から眺めた図である。
【図５】同担架の下鍔付近を斜め下から眺めた図である。
【図６】同担架で３本の支柱が保持されている状態の斜視図である。
【発明を実施するための形態】
【００１８】
担架１は、仮設足場の支柱Ｗを最大６本同時に保持した状態でウィンチによって吊り上げ可能なもので、心棒２と、上鍔３と、６本のブラケット４と、下鍔５と、ストッパー６と、６個の磁石７と、錘８と、バンド９とを備える。対象となる支柱は、長さ３ｍ６０ｃｍ又は２ｍ７０ｃｍで外径５ｃｍの鉄製パイプからなり、その軸方向に４５ｃｍピッチで合計８組又は６組のポケット群を有する。
【００１９】
各組のポケット群は、支柱の直立状態で径方向左右に張り出した２個のポケットと、それらのポケットから１ポケット分の寸法即ち約５ｃｍだけ軸方向にシフトした位置で径方向前後に張り出した２個のポケットとの合計４個の同形のポケットからなる。いずれのポケットも桟や手すりの楔を差し込み可能に軸方向に貫通した孔を有する。
【００２０】
心棒２は、鉄製で外径５ｃｍ、全長約３ｍ６０ｃｍの円柱状をなし、上端及び下端にそれぞれ径方向に貫通した孔（又は輪）２１、２２を有し、上端の孔２１に図略のウィンチのワイヤーを結びつけるか、ワイヤー先端に付いたスイベルフックをかけることができる。また、心棒２は、軸方向中間部に輪状のハンドル２３を周方向等間隔に３つ有する。上鍔３、ブラケット４、下鍔５及びストッパー６は、心棒２に溶接されているが、ボルト・ナットにより固定されていてもよい。
【００２１】
上鍔３は、心棒２の上端から約１ｍの位置に設けられ、心棒２の外周面に嵌合されて溶接された円筒部とその円筒部より径方向に張り出した最大外径２７ｃｍの略円盤部とからなり、略円盤部には周方向に等間隔に内側にへこんだ平面視Ｕ字形の６つの凹部３１を有する。各凹部３１の開口幅及び底部の直径は、５１ｍｍである。凹部３１の深さ即ち凹部３１の上鍔３における径方向寸法は、５５ｍｍである。従って、支柱は、余裕をもって凹部３１に嵌まる。凹部３１の底と心棒２の外周面との距離は、ポケットの張り出し寸法よりも大きい。
【００２２】
ブラケット４は、鉛直方向断面Ｌ字形状をなし、上鍔３の略円盤部における凹部３１の底から前記ポケットの張り出し寸法の範囲内にＬ字の一辺が溶接され、Ｌ字の他辺で上鍔３の上面から上方に突き出しており、ポケットの孔と嵌合可能となっている。下鍔５は、上面からブラケット４が突き出していない以外は、上鍔３と同じ形状且つ同じ位相をなし、上鍔３よりもポケット群のピッチの概ね５倍の間隔だけ心棒２の下端に近い位置に設けられている。
【００２３】
ストッパー６は、下鍔５の略円盤部よりも概ね１１ｃｍだけ心棒２の上端に近い位置で下鍔５の円筒部より径方向に張り出した円盤状をなし、その半径は７ｃｍである。
磁石７は、円筒状の磁石ホルダー７１とその中に締まり嵌めされた円柱状の磁石本体７２とからなり、磁石ホルダー７１の一端面がＬ字金具の一面に溶接され、Ｌ字金具の他面が下鍔５の下面に溶接されることにより、各凹部５１と対応するように取り付けられている。
錘８は、１０ｍ長さの金属製鎖からなり、その一端が心棒２の下端の孔２２に括り付けられ、他端が自由にされている。
バンド９は、ゴム製で、一端がハンドル２３の一つに括り付けられ、他端に鉤９１が取り付けられて自由にされている。
【００２４】
担架１を使用するときは、先ず高所に固定されたウィンチ（図示省略）のワイヤーの先端を心棒２の上端の孔２１に括り付け、担架１をウィンチで吊り上げる。次に、３ｍ６０ｃｍ長の支柱の場合は上から３番目のポケット群、２ｍ７０ｃｍ長の支柱の場合は一番上のポケット群の上側のポケットの一つにブラケット４を差し込みながら、支柱を上鍔と下鍔の凹部３１、５１に入れる。入れると同時に支柱が磁石７に着いて心棒２と平行な姿勢で安定する。最大６本の支柱を入れた後、入れた支柱全体の周囲をバンド９で巻き、鉤９１をいずれかの支柱に引っかける。この状態でウィンチのワイヤーを巻き上げることにより、保持された支柱が担架１とともに上げられる。
【００２５】
担架１の昇降中は鎖８の下端が地面との摩擦で制動されるので横揺れが抑制されて心棒２の直立姿勢が保たれる。各支柱の径方向の動きが上下の凹部３１、５１に拘束されているので、上昇中に支柱同士が衝突することはないし、支柱全体の周囲がバンド９で巻かれているので、支柱が凹部３１、５１から飛び出ることもない。従って、上ポケットがブラケット４から離脱することもない。また、支柱が上方に変位しようとする力が加わっても、ストッパー６の下面が下ポケットの上面に当たり、支柱の上方への変位が阻止される。その結果、担架１の昇降中に上ポケットがブラケットから浮いて外れることがない。
【符号の説明】
【００２６】
１  支柱昇降用担架
２  心棒
３  上鍔
４  ブラケット
５  下鍔
６  ストッパー
７  磁石
８  錘
９  バンド
【図１】
2018084081.tif 000003
【図２】
2018084081.tif 000004
【図３】
2018084081.tif 000005
【図４】
2018084081.tif 000006
【図５】
2018084081.tif 000007
【図６】
2018084081.tif 000008